(57)【要約】【課題】投入口を介して魚を投入する際に、内部の魚が逃げ出すことがなく、かつ弱らせることのない魚入れ容器を提供する。【解決手段】本発明の魚入れ容器１は、一端側が回動可能に支持されて閉塞方向に付勢される閉塞板１２を有する投入口８と、投入口８から投入される魚を収容する収容部Ｓとを有しており、収容部Ｓの内面は、投入口８側の明度が反対側よりも高くなるように色彩構成されていることを特徴とする。【選択図】図２
2011045319.tif 000002
【特許請求の範囲】
【請求項１】
一端側が回動可能に支持されて閉塞方向に付勢される閉塞板を有する投入口と、前記投入口から投入される魚を収容する収容部と、を有する魚入れ容器において、
前記収容部の内面は、投入口側の明度が反対側よりも高くなるように色彩構成されていることを特徴とする魚入れ容器。
【請求項２】
前記収容部の内面は、明度の高い色と低い色の二色で区分け処理されていることを特徴とする請求項１に記載の魚入れ容器。
【請求項３】
前記明度が高い領域は、前記閉塞板によって閉塞される開口の後端部よりも前側となるように色彩構成されていることを特徴とする請求項１又は２に記載の魚入れ容器。
【発明の詳細な説明】
【技術分野】
【０００１】
本発明は、魚を入れるための魚入れ容器に関し、詳細には、主に鮎釣りに際して使用される魚入れ容器に関する。
【背景技術】
【０００２】
一般的に、鮎釣りをする場合、釣人は、おとり鮎や釣れた鮎を収容するための魚入れ容器、具体的には、例えば特許文献１に開示されているような「引き舟」と称されるもの、或いは、「おとり缶」と称されるものを携行する。
【０００３】
通常、上記のような魚入れ容器には、釣った魚を容器内に投入し易くするための投入口が設けられており、このような投入口は、前記特許文献１に開示されているように、基端部が回動可能に支持され、常時閉塞方向に付勢された閉塞板を備えている。このような閉塞板は、魚を押し当てることで付勢力に抗して開口させることが可能となっているため、実釣時に釣った魚を収容する際には、釣人は魚を掴んで閉塞板に押し当て、内部に投入する操作を行っている。
【０００４】
ところで、上記した魚入れ容器を鮎釣りに使用する場合、鮎の投入時に、収容されている鮎が暴れて投入口部分から飛び出してしまう、という問題がある。すなわち、鮎は光を嫌う（暗い部分を好む）という性質があり、釣人が鮎を掴んで閉塞板から投入操作をすると、内部に一気に光が差し込んでしまい、これによって収容されている鮎が暴れ、開いた状態にある閉塞板の隙間から飛び出してしまうことがある。
【０００５】
また、閉塞板が開口した際、たとえ鮎が飛び出さなくても、暴れた鮎が回動した閉塞板の角部に衝突する等、鮎を弱らせてしまう可能性がある（鮎が弱ると、おとり鮎として使用する上で好ましくない）。
【０００６】
一方、内部に収容されている鮎が暴れないように、特許文献２には、引き舟の本体の表面に、直射日光を減光して導くように半透明の透光部を形成した構成が開示されている。このように透光部を形成しておくことで、収容部の内部に光を取り込んで、ある程度明るくしておくことができるため、閉塞板から鮎を投入する際に一気に光が差し込んでも、収容されている鮎が暴れることを抑制することが可能となる。
【先行技術文献】
【特許文献】
【０００７】
【特許文献１】特開２００９−１００６６４号
【特許文献２】特開２００１−１９０２０２号
【発明の概要】
【発明が解決しようとする課題】
【０００８】
上記した特許文献２に開示されている技術では、収容部内に光を透過させる構成であるため、おとり鮎を弱らせてしまう可能性がある。また、本体の表面に透光部を形成しただけでは、閉塞板を開けた際の鮎の暴れを効果的に抑制できるとは限らず、回動した閉塞板の角部に鮎が当たることを十分に抑制することはできない。
【０００９】
本発明は、上記した事情に着目してなされたものであり、投入口を介して魚を投入する際に、内部の魚が逃げ出すことがなく、かつ弱らせることのない魚入れ容器を提供することを目的とする。
【課題を解決するための手段】
【００１０】
上記した目的を達成するために、本発明に係る魚入れ容器は、一端側が回動可能に支持されて閉塞方向に付勢される閉塞板を有する投入口と、前記投入口から投入される魚を収容する収容部と、を有し、前記収容部の内面は、投入口側の明度が反対側よりも高くなるように色彩構成されていることを特徴とする。
【００１１】
このような構成の魚入れ容器によれば、収容部に収容されている魚は、投入口側ではない明度が低い領域に移動している。このため、投入口部分から魚を投入する際に、開口した閉塞板を介して外光が一時的に収容部内に入り込んでも、明度の高い投入口側に魚はいないため、たとえ内部の魚が暴れたとしても、開口した閉塞板部分から魚が逃げ出すことはない。また、魚は、回動する閉塞板とは離れた位置にいるため、たとえ暴れたとしても閉塞板の角部に当たって弱ってしまうことはなく、更には、収容部の表面に上記した特許文献２に開示されているような透光部を形成することもないため、魚が弱ることもない。
【００１２】
なお、上記した構成において、収容部の内面については、投入口側が相対的に明度が高くなるように色彩が付与されていれば良く、塗装によってそのような構成を実現したり、素材そのものの色彩を利用して実現しても良い。
【発明の効果】
【００１３】
本発明によれば、投入口を介して魚を投入する際に、内部の魚が逃げ出すことがなく、かつ弱らせることのない魚入れ容器を提供することができる。
【図面の簡単な説明】
【００１４】
【図１】本発明の第１の実施形態に係る魚入れ容器の斜視図。
【図２】図１のＡ−Ａ線に沿った断面図。
【図３】図１に示す魚入れ容器に魚を投入する状態を示す図。
【図４】本発明の第２の実施形態に係る魚入れ容器の斜視図。
【図５】図４のＢ−Ｂ線に沿った断面図。
【発明を実施するための形態】
【００１５】
以下、本発明に係る魚入れ容器の実施形態について、添付図面を参照して説明する。
【００１６】
図１から図３は、本発明の第１の実施形態に係る魚入れ容器１が示されている。本実施形態の魚入れ容器１は、鮎釣りに際して携行される構成となっており、引き舟と称されるものである。この引き舟は、釣り上げた魚（以下、鮎とする）を生きたままで泳がせながら収容したり、予め購入したおとり鮎を収容しておくもので、容器本体２を備えている。
【００１７】
前記容器本体２は、例えば、硬質製の樹脂材料によって、所定の大きさを有する舟形の形状に形成されており、上面部２ａと、底面部２ｂと、前面部２ｃと、側面部２ｄと、後面部２ｅとを備え、魚を収容するための収容部Ｓを内部に形成している。
【００１８】
前記容器本体２の上面部２ａおよび前面部２ｃには、浮き体（図示せず）が取り付けられており、容器本体２を水中で安定的に浮かせるようになっている。また、容器本体２の前側（船首側）の側面部２ｄには、複数個の通水孔７が穿設されており、これらの通水孔７を通じて流水が容器内部に入るとともに容器内部の水が流出し、絶えず容器本体２内部の水を循環できるようになっている。
【００１９】
前記容器本体２の前面部２ｃには、牽引ロープ３０が取り付けられており、この牽引ロープ３０の一端側には、吊り下げ用のハンドル３１が設けられると共に、他端側には、ベルト等へ止着する止着具（図示せず）が設けられている。
【００２０】
これにより、釣人は、釣りをしている間、牽引ロープ３０を引っ張って魚入れ容器１を流水中に漂わせながら携行することが可能となる。この場合、前記通水孔７を通じて流水が容器内部に入ると共に、容器内部の水が流出し、絶えず収容部Ｓ内の水を循環させて内部に収容された鮎が弱らないように保持しておくことが可能となる。なお、通水孔７を形成する位置や個数については、特に限定されることはない。
【００２１】
前記容器本体２の上面部２ａの前側（船首側）には、収容部内へ鮎を投入することが可能な投入口８が設けられている。本実施形態における投入口８は、上面部２ａの前方側に形成された開口２ｆを閉塞する蓋体１０に設けられており、この蓋体１０に形成される開口１０ａを閉塞する閉塞板１２を備えた構成となっている。なお、開口１０ａは、図３に示すように、釣人が鮎を掴んで、内部に投入できる程度の大きさに形成されている。
【００２２】
前記蓋体１０は、専ら、魚入れ容器１を大きく傾けることで、内部に収容されている鮎を一度に取り出すことを可能にするものであり、開口２ｆの後側（船尾側）に設けられたヒンジ１４によって開閉可能に蝶着されている。そして、蓋体１０は、その前端に設けられた操作体１５の係止部１５ａを容器本体２の前面部２ｃの内面の係止溝２ｈに係脱可能に係止させることにより、容器本体２に取着され、開口２ｆを閉塞するようになっている。なお、図２には、操作体１５の係止部１５ａを容器本体２から回動し、開口２ｆを開放させた状態が二点鎖線で示されている。
【００２３】
上記したように、前記蓋体１０には、投入口８が設けられており、この投入口８は、開閉可能な閉塞板１２を備えている。本実施形態の閉塞板１２は、同じ形状で一対設けられており、各閉塞板１２，１２は、投入口８の前側（船首側）に設けられたヒンジ（回動部としての蝶番）１８によってその長手方向の一端側（前端）にある回動端部２０が回動可能（開閉可能）に蝶着支持されており、ヒンジ１８を中心に、その長手方向の他方側の開放端（先端縁）１２ａを収容部Ｓ内へ向けて下向きに開放させることができるようになっている。
【００２４】
また、各閉塞板１２は、常時、閉塞方向に付勢されている。具体的には、夫々の閉塞板１２の回動端部２０が、ヒンジ１８の回動軸部に巻装された付勢手段としてのバネ２２によって、常時閉じる方向（上向き）へ付勢されている。これにより、釣人が鮎を掴んだ状態で閉塞板１２に押し当てると、閉塞板１２は、バネ２２の付勢力に抗して回動し、その鮎を収容部Ｓ内に投入することが可能となり、かつ釣人が掴んだ鮎を離して投入口８から手を引抜くと、閉塞板１２は、バネ２２の付勢力によって、閉塞状態に復帰する。
【００２５】
上記した構成において、各閉塞板１２には、長手方向に延びる開口１２ｂを形成しておくことが好ましい。このような開口１２ｂを形成しておくことにより、実釣時に魚入れ容器１が転覆しても、閉塞板部分で流水を通過させることができるため、流水の圧力によって不用意に閉塞板が開放して、内部に収容されている鮎が逃げることを防止することが可能となる。
【００２６】
前記収容部Ｓの内面は、実釣時において、頻繁に鮎の投入動作がなされる投入口８側の明度が反対側よりも高くなるように色彩構成されている。ここで、明度とは、ＪＩＳ規格に基づいて特定され、色の明るさ／暗さを表している。明度は、ＪＩＳ規格に基づき、基準を１０段階にして明度基準０（黒）〜１０（白）としている。このため、明度が高いとは、色が明るいことを表しており、明度が低い部分よりも相対的に反射率が高い領域とされる。
【００２７】
具体的に本実施形態では、図２に示すように、収容部Ｓの内面は、明度の高い色と低い色の二色で区分け処理されており、投入口８側（船首側）の明度が高く、反対側（船尾側）の明度が低くなるように色彩構成されている。この場合、明度の高低については、投入口側の領域と反対側の領域における相対比較によって特定されるのであり、例えば、投入口側の色を白色系とし、反対側の色を黒色系にすることで実現することが可能である。実際には、相対的な色彩分けとして、鮎が効果的に移動するように、明度が高い領域は、上記した明度基準が７以上の色彩を使用し、明度が低い領域は、上記した明度基準が２以下のものを使用するのが好ましい。
【００２８】
なお、上記したように、色を区分け処理するのであれば、図２に示すように、明度が高い領域は、蓋体１０に形成され、閉塞板１２によって閉塞される開口１０ａの後端部（開口の最も後端となる位置）よりも前側（船首側）となるように色彩構成しておくことが好ましい。
【００２９】
上記した構成の魚入れ容器１によれば、収容部Ｓ内に収容されている鮎は、投入口８側の明度が高いことから、その性質上、図３に示すように、明度が低い領域（船尾側領域）に移動している。このため、投入口８の部分から鮎を掴んで投入する際に、開口した閉塞板１２を介して外光が一時的に収容部内に入り込んでも、明度の高い投入口側に鮎はいないため、たとえ急激に光が差し込んで鮎が暴れたとしても、開口した閉塞板部分から逃げ出すことはない。また、鮎は、回動する閉塞板１２とは離れた位置にいるため、たとえ暴れたとしても閉塞板の先端縁１２ａや側縁の角部に当たることもなく、鮎が弱ることもない。
【００３０】
特に、本実施形態では、収容部の内面を、ニ色で区分け処理しているため、鮎を確実に暗い領域に移動させておくことができ、鮎を投入操作する際、鮎を逃がしたり、閉塞板に当たることを確実に防止することが可能となる。また、二色で区分け処理をすることで、例えば、マスキングして着色処理をする等、内面処理が容易に行えるようになる。
【００３１】
さらに、明度の高い領域を、閉塞板１２によって閉塞される開口１０ａの後端部（開口の最も後端となる位置）よりも前側（船首側）となるようにしたため、鮎をより確実に先端縁１２ａに当たらない領域に移動させておくことが可能となる。
【００３２】
なお、上記した構成では、通常の使用時において、外部からの光は、通水孔７や開口１２ｂを介して内部に入り込むことから、収容部Ｓ内では明度の高低差を把握することが可能である。もちろん、このような通水孔７や開口１２ｂは、引き舟として流水を通過させるものであることから必然的に設けられるものであり、収容部の表面に透光部を形成する必要がないため、鮎が弱ることもない。
【００３３】
図４および図５は、本発明に係る魚入れ容器の第２の実施形態を示しており、図４は、斜視図、図５は、図４のＢ−Ｂ線に沿った断面図である。
【００３４】
本実施形態に係る魚入れ容器１Ａは、おとり缶とも称されるものであり、上記した実施形態と同様、鮎釣り等をする際に携行される。
【００３５】
内部に収容部Ｓを有する容器本体２Ａには、例えば、ヒンジなどによって開閉可能な蓋体２Ｂが設けられ、この蓋体２Ｂの一端側に、上記した実施形態と同様に構成された投入口８が設けられている。すなわち、この投入口８は、蓋体２Ｂに形成された開口２Ｄを開閉すべく、ヒンジ１８によって開閉可能な一対の閉塞板１２を備えており、各閉塞板１２は、付勢手段によって、常時、閉塞方向に付勢されている。
【００３６】
容器本体２Ａの内面は、上記した実施形態と同様、投入口側の明度が高くなるように二色で色分け処理が施されており、収容部Ｓ内に収容される鮎を、明度の低い側に移動させるようにしている。
【００３７】
なお、収容部Ｓ内には、例えば、閉塞板１２に設けられる開口１２ｂを介して外光が入り込むため、収容部Ｓ内では明度の高低差を把握することが可能となっている。また、図に示す構成においても、明度が高い領域は、蓋体２Ｂに形成された開口２Ｄの後端部（閉塞板１２の回動基端側を前側とした際、最も後端となる位置）よりも前側としている。
【００３８】
このように、魚入れ容器は、おとり缶として構成されていても、収容部Ｓの内面に色彩構成を施すことで、上記した実施形態と同様、鮎を投入する際、内部に収容された鮎を逃がしたり、弱らせることのない構成とすることが可能となる。
【００３９】
以上、本発明の魚入れ容器の実施形態について説明したが、本発明は、上記した実施形態に限定されることはなく、種々変形することが可能である。
【００４０】
上記した構成において、収容部Ｓの内面については、投入口側が反対側よりも相対的に明度が高くなるように色彩が付与されていれば良く、塗装によってそのような構成を実現したり、素材そのものの色彩を利用して実現することが可能である。
【００４１】
また、明度の高低については、収容部Ｓの内面を見たときに、相対的に投入口側が明るい状態となるように色彩が付与されていれば良い。この場合、色彩については、白色、黒色に限らず、カラー色であっても良い。また、色彩の変化は、実施形態で示したように、二色で色分け（区分け）したもの、或いは、三色以上の色を用いて段階的に色分けしたもの、更には、連続的に明度変化するような構成であっても良い。また、明度の高い領域において、部分的に明度の低い領域が存在していたり、或いは明度の低い領域において、部分的に明度の高い領域が存在していても良い。
【００４２】
さらに、魚入れ容器を構成する引き舟やおとり缶については、一例を示したに過ぎず、収容部の内面が上記したように色彩構成されていれば、全体的な構成等、適宜変形することが可能である。
【符号の説明】
【００４３】
１，１Ａ  魚入れ容器
２，２Ａ  容器本体
８  投入口
１２  閉塞板
１２ａ  先端縁
Ｓ  収容部
【図１】
2011045319.tif 000003
【図２】
2011045319.tif 000004
【図３】
2011045319.tif 000005
【図４】
2011045319.tif 000006
【図５】
2011045319.tif 000007